【手続補正書】
【提出日】平成16年1月8日(2004.1.8)
【手続補正１】
【補正対象書類名】明細書
【補正対象項目名】特許請求の範囲
【補正方法】変更
【補正の内容】
【特許請求の範囲】
【請求項１】
デジタルカメラと前記カメラをリモートコントロールするコントローラからなるデジタルカメラリモートコントロール装置において、
前記カメラは、撮像した画像データを取り込むＣＣＤ処理部と、取り込んだ前記画像データを蓄積する画像データ記憶部と、蓄積した前記画像データを送信し、かつ前記コントローラからのコマンドを受信するＤＳＣ通信処理部とを備え、
前記コントローラは、リモートコントロールするデジタルカメラを設定する転送先設定部と、設定した前記カメラのＤＳＣ通信処理部より送信される画像データを受信し、かつ前記カメラを制御するためのコマンドを送信するＰＣ通信処理部と、受信した前記画像データを蓄積する表示データ記憶部と、蓄積した前記画像データを順次読み出し表示装置に表示する表示処理部を備えたことを特徴とするデジタルカメラリモートコントロール装置。
【請求項２】
前記コントローラは、複数のデジタルカメラとの通信を可能にしたことを特徴とする請求項１記載のデジタルカメラリモートコントロール装置。
【請求項３】
前記ＤＳＣ通信処理部およびＰＣ通信処理部が、ＰＨＳ通信手段、無線ＬＡＮ通信手段またはモデム通信手段を有することを特徴とする請求項１記載のデジタルカメラリモートコントロール装置。
【請求項４】
コントローラによりリモートコントロールされるデジタルカメラであって、
撮像した画像データを取り込むＣＣＤ処理部と、取り込んだ前記画像データを蓄積する画像データ記憶部と、該カメラを転送先として設定したコントローラに、蓄積した前記画像データを送信し、かつ前記コントローラからのコマンドを受信するＤＳＣ通信処理部とを備えたことを特徴とするデジタルカメラ。
【請求項５】
前記ＤＳＣ通信処理部は、ＰＨＳ通信手段、無線ＬＡＮ通信手段またはモデム通信手段を有することを特徴とする請求項４に記載のデジタルカメラ。
【請求項６】
デジタルカメラをリモートコントロールするコントローラであって、
リモートコントロールするデジタルカメラを設定する転送先設定部と、設定した前記カメラが撮像した画像データを受信し、かつ前記カメラを制御するためのコマンドを送信するＰＣ通信処理部と、受信した前記画像データを蓄積する表示データ記憶部と、蓄積した前記画像データを順次読み出し表示装置に表示する表示処理部を備えたことを特徴とするコントローラ。
【請求項７】
前記コントローラは、複数のデジタルカメラとの通信を可能にしたことを特徴とする請求項６記載のコントローラ。
【請求項８】
前記ＰＣ通信処理部が、ＰＨＳ通信手段、無線ＬＡＮ通信手段またはモデム通信手段を有することを特徴とする請求項６記載のコントローラ。
【手続補正２】
【補正対象書類名】明細書
【補正対象項目名】０００５
【補正方法】変更
【補正の内容】
【０００５】
【課題を解決するための手段】
上記目的を達成するために、本発明は、デジタルカメラと前記カメラをリモートコントロールするコントローラからなるデジタルカメラリモートコントロール装置において、前記カメラは、撮像した画像データを取り込むＣＣＤ処理部と、取り込んだ前記画像データを蓄積する画像データ記憶部と、蓄積した前記画像データを送信し、かつ前記コントローラからのコマンドを受信するＤＳＣ通信処理部とを備え、前記コントローラは、リモートコントロールするデジタルカメラを設定する転送先設定部と、設定した前記カメラのＤＳＣ通信処理部より送信される画像データを受信し、かつ前記カメラを制御するためのコマンドを送信するＰＣ通信処理部と、受信した前記画像データを蓄積する表示データ記憶部と、蓄積した前記画像データを順次読み出し表示装置に表示する表示処理部を備えて構成されている。


【手続補正３】
【補正対象書類名】明細書
【補正対象項目名】０００７
【補正方法】変更
【補正の内容】
【０００７】
【発明の実施の形態】
請求項１の発明は、デジタルカメラと前記カメラをリモートコントロールするコントローラからなるデジタルカメラリモートコントロール装置において、前記カメラは、撮像した画像データを取り込むＣＣＤ処理部と、取り込んだ前記画像データを蓄積する画像データ記憶部と、蓄積した前記画像データを送信し、かつ前記コントローラからのコマンドを受信するＤＳＣ通信処理部とを備え、前記コントローラは、リモートコントロールするデジタルカメラを設定する転送先設定部と、設定した前記カメラのＤＳＣ通信処理部より送信される画像データを受信し、かつ前記カメラを制御するためのコマンドを送信するＰＣ通信処理部と、受信した前記画像データを蓄積する表示データ記憶部と、蓄積した前記画像データを順次読み出し表示装置に表示する表示処理部を備えて構成されていることにより、コントローラの設定によって、カメラが撮像した画像データは、カメラからコントローラに順次送信され、コントローラの表示装置に表示されるという作用を有する。請求項２の発明は、請求項１記載のデジタルカメラリモートコントロール装置において、前記コントローラは、複数のデジタルカメラとの通信を可能にした構成となっているために、コントローラは、複数のデジタルカメラのうち、設定されたデジタルカメラからの画像データをコントローラに順次送信して、コントローラは、当該受信した画像データを表示装置に表示するという作用を有する。請求項３の発明は、請求項１記載のデジタルカメラリモートコントロール装置において、前記ＤＳＣ通信処理部およびＰＣ通信処理部が、ＰＨＳ通信手段、無線ＬＡＮ通信手段またはモデム通信手段を有するように構成されていることにより、デジタルカメラが画像データをコントローラに送る際に、上記各通信手段のひとつを利用することが可能という作用を有する。請求項４の発明は、コントローラによりリモートコントロールされるデジタルカメラであって、撮像した画像データを取り込むＣＣＤ処理部と、取り込んだ前記画像データを蓄積する画像データ記憶部と、該カメラを転送先として設定したコントローラに、蓄積した前記画像データを送信し、かつ前記コントローラからのコマンドを受信するＤＳＣ通信処理部とを備えて構成されることにより、デジタルカメラは、デジタルカメラの画像データを設定したコントローラに送信し、かつコントローラからのコマンドを受信するという作用を有する。請求項５の発明は、請求項４に記載のデジタルカメラにおいて、前記ＤＳＣ通信処理部は、ＰＨＳ通信手段、無線ＬＡＮ通信手段またはモデム通信手段を有するように構成されているため、デジタルカメラは、画像データをコントローラへ上記各通信手段のひとつを利用して送信するという作用を有する。請求項６の発明は、デジタルカメラをリモートコントロールするコントローラであって、リモートコントロールするデジタルカメラを設定する転送先設定部と、設定した前記カメラが撮像した画像データを受信し、かつ前記カメラを制御するためのコマンドを送信するＰＣ通信処理部と、受信した前記画像データを蓄積する表示データ記憶部と、蓄積した前記画像データを順次読み出し表示装置に表示する表示処理部を備えて構成されるため、コントローラは、デジタルカメラからの画像データを順次受信し、当該受信した画像データをコントローラの表示装置に表示させるという作用を有する。請求項７の発明は、請求項６記載のコントローラにおいて、前記コントローラは、複数のデジタルカメラとの通信を可能に構成したため、コントローラは、複数のデジタルカメラの所望のカメラを設定し、当該設定されたデジタルカメラからの画像データを受信するという作用を有する。請求項８の発明は、請求項６記載のコントローラにおいて、前記ＰＣ通信処理部が、ＰＨＳ通信手段、無線ＬＡＮ通信手段またはモデム通信手段を有するように構成されているために、コントローラは、デジタルカメラから上記各通信手段のひとつを利用して画像データを受信するという作用を有する。


【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】